(57)【特許請求の範囲】
【請求項１】
基材シートの片面側に繊維束が積層され、繊維束を構成する繊維の流れ方向の中央部が基材シートの中央部において連続的に形成された中央接合部で接合していると共に、中央接合部と平行な両端縁との間の平行線上に断続的に形成された点状接合部において接合しており、繊維の流れ方向両端が基材シートに接合せず、前記点状接合部は複数形成されており、複数の点状接合部の接合位置が繊維束の流れ方向で重ならないように形成してなることを特徴とする清掃具用シート。
【請求項２】
基材シート及び繊維束が熱融着性を有している請求の範囲第１項記載の清掃具用シート。
【請求項３】
繊維束を構成する繊維の太さが、１〜１８デニールである請求の範囲第１項に記載の清掃具用シート。
【請求項４】
基材シートの片面側に繊維束が積層され、繊維束を構成する繊維の流れ方向の中央部が基材シートの中央部において連続的に形成された中央接合部で接合していると共に、中央接合部と平行な両端縁との間の平行線上に断続的に形成された点状接合部において接合しており、繊維の流れ方向両端が基材シートに接合せず、前記点状接合部は複数形成されており、複数の点状接合部の接合位置が繊維束の流れ方向で重ならないように形成してなるものであり、基材シートの中央接合部と平行な両端縁側に床面拭き取り用清掃具の保持部材に取り付けるための取付部が設けられていることを特徴とする床面拭き取り清掃具に用いられる清掃具用シート。
【請求項５】
基材シートの片面側に繊維束が積層され、繊維束を構成する繊維の流れ方向の中央部が基材シートの中央部において連続的に形成された中央接合部で接合していると共に、中央接合部と平行な両端縁との間の平行線上に断続的に形成された点状接合部において接合しており、繊維の流れ方向両端が基材シートに接合せず、前記点状接合部は複数形成されており、複数の点状接合部の接合位置が繊維束の流れ方向で重ならないように形成してなるものであり、基材シートの繊維束の積層面と反対面に、手持式拭き取り清掃具の保持部材の脚部を挿通して保持するための空間からなる保持部が形成されていることを特徴とする手持式拭き取り清掃具に用いられる清掃具用シート。
【請求項６】
基材シートの片面側に繊維束が積層され、繊維束を構成する繊維の流れ方向の中央部が基材シートの中央部において連続的に形成された中央接合部で接合していると共に、中央接合部と平行な両端縁との間の平行線上に断続的に形成された点状接合部において接合しており、繊維の流れ方向両端が基材シートに接合せず、前記点状接合部は複数形成されており、複数の点状接合部の接合位置が繊維束の流れ方向で重ならないように形成してなる清掃具用シートを用いるものであり、前記清掃具用シートの基材シート側に第二のシートが積層され、基材シートと第二のシートとの間に手を挿入して保持するための空間からなる保持部が設けられており、外観が手袋状に形成されていることを特徴とする手袋状清掃具。
【発明の詳細な説明】
【技術分野】
【０００１】
本発明は様々な場所における被清掃物の表面に当接して、ごみの拭き取り清掃に用いられる清掃具用シート及び清掃具に関するものである。
【背景技術】
【０００２】
不織布を使用した清掃具用シートが、床や壁等に付着した塵、埃、パンの粉等の食品の屑、髪の毛、綿ほこり、その他の細かい各種ごみを拭き取って清掃する清掃具に用いられている。清掃具用シートは、ある程度汚れたら取り外して新しいシートと交換して使用される、いわゆる使い捨て式あるいは交換式のシートとして広く用いられている。従来の清掃具用シートとして、（１）不織布シートの表面に流動パラフィン等を付着させた清掃具用シート、（２）基材シート上に設けた一定方向の長繊維フィラメントに交差して一定間隔に接合線を設け、接合線間の長繊維フィラメントを部分的又は全部を切断して表面に毛羽立たせて塵や埃を捕捉するように構成した清掃具用シート（特許文献１参照）等が公知である。【０００３】
しかし上記（１）の清掃具用シートは、その表面に微細なごみを付着して捕捉するだけであり、比較的大きなごみを捕捉する能力が低かった。また上記（１）の清掃具用シートは捕捉された塵や埃を保持する能力も低いものであった。これに対し上記（２）の清掃具用シートは、その表面に形成された長繊維の部分が埃や塵を捕捉可能で、塵や埃の捕捉性能や保持能力が向上しているものの、比較的大きなごみの捕捉性能が不十分であり、より優れたごみの捕捉性能と保持能力が要求されている。【０００４】
また上記従来の清掃具用シートは、平板状の台座に長尺な柄が接合されたホルダーの前記台座の下面側に取り付けて、床面拭き取り清掃具として用いられる（特許文献２参照）。この床面拭き取り用清掃具で清掃を行う場合、柄を持って台座に取り付けた清掃具用シートを被清掃面に押し付けて拭き取る。台座に取り付けた清掃具用シートは、それ自体は薄い不織布等で形成されており、クッション性がほとんどないため弾力性に乏しい。【０００５】
この床面拭き取り用清掃具を用いて拭き取り作業を行った場合、台座の周縁部は圧力が大きく加わるため、ごみを比較的良好に捕捉できるが、台座の中央部分では周縁部と比較して圧力があまり加わらず、各種ごみの捕捉性能が劣り清掃具用シート全体を効率良く利用できないという問題があった。【０００６】
また室内や車内等において埃を除去するために用いられる手持式清掃具として、２本の平行な取付用の隙間（取付用隙間）を有するモップ本体の取付用隙間に、扁平で水平な２本の差込板を有する取付部と把持部とから構成される把手の取付部を挿入して使用されるハンディモップ（手持式拭き取り清掃具）が公知である（特許文献３参照）。手持式拭き取り清掃具に用いられるモップ本体は、汚れると新しいものと交換することから、使い捨て式のものが用いられる。前記モップ本体は、毛羽立った合成樹脂製の不織布を２〜３枚重ね合わせ、中央を横切るようにしてライン上に溶着することで束ねられた清掃具用シートが使用されている。そしてモップ本体の上面は、モップサイズの不織布の上に長さの短い不織布が中程に重ねられ、長さ方向の３本の溶着ラインにより貼り合わせられており、それらの３本の溶着ラインの間に二本の平行な取付用の隙間が形成されている。【０００７】
しかしながら上記手持式拭き取り清掃具のモップ本体として用いられる清掃具用シートは、毛羽立てた合成樹脂製の不織布を２〜３枚重ねただけのものであるから、前記特許文献２に記載された清掃具用シートと同様に、比較的大きなごみの捕捉性能が不十分であるという問題があり、更に優れたごみの捕捉性能と保持能力が要求されている。
【０００８】
また手袋状に形成してなる清掃具が公知である(特許文献４参照)。具体的には、あらかじめ払拭機能を有する所望の縁部を見込んでデザインし、このカットした２枚のシートを係合して重ね合わせ、指の輪郭に沿って周縁部を縫合又は接着し、手指が挿入可能な手指挿入口を設け、前記縁部又は縁部の先端が凹凸の多い複雑な曲面に対し隈無く当接・接触し、更に指先の感触が伝わる払拭シート面を活用して繊細清掃を可能な構成としている。【０００９】
しかし上記従来の手袋状清掃具は、毛質類や他のごみの捕集性に優れた払拭シートや不織布を用いたものであるから、その表面に微細なごみを付着して捕捉するだけであり、比較的大きなごみを捕捉する能力が低かった。【００１０】
また上記従来の手袋状清掃具は、指先の部分以外等は圧力が加わり難くごみの捕捉性能が低い。ごみの捕捉は指先部分等の清掃具のごく一部のみで行われるだけで、それ以外の部分はごみの捕捉に実質的に利用されず、効率が悪いという問題があった。【００１１】
また上記従来の手袋状清掃具は、捕捉したごみを保持する能力も限られており、比較的大きなごみの捕捉性能が不十分であり、より優れたごみの捕捉性能と保持能力が要求されている。【００１２】
本発明は上記課題を解決するためになされたものであり、塵や埃等の各種ごみの捕捉性能及びその保持性能に優れた清掃具用シートを提供することを目的とする。【００１３】
また床面拭き取り用清掃具に用いられる清掃具用シートにおいて、清掃具用台座に取り付けた際に、クッション性を有し台座の周縁部分から中央部分まで全体に圧力が加わり、清掃面全体で各種ごみの捕捉性能を発揮して清掃具用シート全体を効率良く利用可能な清掃具用シートを提供することを目的とする。【００１４】
また手持式拭き取り用清掃具に用いられる清掃具用シートにおいて、優れたごみの捕捉性能と保持能力を有する清掃具用シートを提供することを目的とする。【００１５】
また手袋状に形成される清掃具において、使い易く、全体を使用可能であり効率がよく、塵や埃等の各種ごみの捕捉性能及びその保持性能に優れた清掃具を提供することを目的とする。
【特許文献１】特開２０００−２４５６７０号公報
【特許文献２】特開２０００−２９６０８４号公報
【特許文献３】特開２００３−２６５３９１号公報
【特許文献４】特開２００３−５１０号公報
【発明の開示】
【００１６】
本発明は基材シートの片面側に繊維束が積層され、繊維束を構成する繊維の流れ方向の中央部が基材シートの中央部において連続的に形成された中央接合部で接合していると共に、中央接合部と平行な両端縁との間の平行線上に断続的に形成された点状接合部において接合しており、繊維の流れ方向両端が基材シートに接合せず、前記点状接合部は複数形成されており、複数の点状接合部の接合位置が繊維束の流れ方向で重ならないように形成してなることを特徴とする清掃具用シートである。
【００１８】
本発明の清掃具用シートは基材シートに繊維束が積層されているが、基材シート及び繊維束が熱融着性を有していることが好ましい。
【００１９】
本発明の清掃具用シートは繊維束が用いられるが、この繊維束を構成する繊維の太さが、１〜１８デニールであることが好ましい。
【００２０】
本発明の床面拭き取り清掃具に用いられる清掃具用シートは、基材シートの片面側に繊維束が積層され、繊維束を構成する繊維の流れ方向の中央部が基材シートの中央部において連続的に形成された中央接合部で接合していると共に、中央接合部と平行な両端縁との間の平行線上に断続的に形成された点状接合部において接合しており、繊維の流れ方向両端が基材シートに接合せず、前記点状接合部は複数形成されており、複数の点状接合部の接合位置が繊維束の流れ方向で重ならないように形成してなるものであり、基材シートの中央接合部と平行な両端縁側に床面拭き取り用清掃具の保持部材に取り付けるための取付部が設けられている。
【００２１】
本発明の手持式拭き取り清掃具に用いられる清掃具用シートは基材シートの片面側に繊維束が積層され、繊維束を構成する繊維の流れ方向の中央部が基材シートの中央部において連続的に形成された中央接合部で接合していると共に、中央接合部と平行な両端縁との間の平行線上に断続的に形成された点状接合部において接合しており、繊維の流れ方向両端が基材シートに接合せず、前記点状接合部は複数形成されており、複数の点状接合部の接合位置が繊維束の流れ方向で重ならないように形成してなるものであり、基材シートの繊維束の積層面と反対面に、手持式拭き取り清掃具の保持部材の脚部を挿通して保持するための空間からなる保持部が形成されている保持シートが接合されている。
【００２２】
本発明の手袋状清掃具は、基材シートの片面側に繊維束が積層され、繊維束を構成する繊維の流れ方向の中央部が基材シートの中央部において連続的に形成された中央接合部で接合していると共に、中央接合部と平行な両端縁との間の平行線上に断続的に形成された点状接合部において接合しており、繊維の流れ方向両端が基材シートに接合せず、前記点状接合部は複数形成されており、複数の点状接合部の接合位置が繊維束の流れ方向で重ならないように形成してなる清掃具用シートを用いるものであり、前記清掃具用シートの基材シート側に第二のシートが積層され、基材シートと第二のシートとの間に手を挿入して保持するための空間からなる保持部が設けられており、外観が手袋状に形成されている。
【００２３】
本発明の清掃具用シートは、繊維束が中央接合部及び点状接合部において接合していて、繊維の流れ方向両端が基材シートに接合していないため、繊維束の繊維を大きく毛羽立たせて繊維束の部分を嵩高く形成することができる。清掃具用シートの繊維束の流れ方向両端部が下方に垂れ下がり、繊維両端の繊維の先端部分が基材シートから遊離して自由に動くため、従来の長繊維フィラメントを切断して表面に毛羽立たせた清掃具用シート等と比較して、塵や埃等の各種ごみの捕捉性能及びその保持性能に優れている。
【００２４】
本発明の清掃具用シートは点状接合部を複数形成した場合、繊維束の繊維は、中央接合部から点状接合部までの長さ及び点状接合部から端部までの長さが異なるようになり、繊維束における繊維の長さが各種長さに形成されるため、繊維どうしが絡まりあうのを更に良好に防止できる。点状接合部を複数形成する際に、点状接合部どうしが繊維束の流れ方向で重ならないようにすることで、繊維の長さが異なる割合が高くなるから、繊維の絡まりをより確実に防止することができる。
【００２５】
本発明の清掃具用シートは基材シート及び繊維束が熱融着性を有していると、加熱ローラ等により加熱、加圧して両者を接合一体化することができるため清掃具用シートの製造を容易に行うことができる。
【００２６】
本発明の清掃具用シートは繊維束を構成する繊維の太さが、１〜１８デニールであると、小さいごみから大きいごみまでの幅広いごみの捕捉性能及び保持性能を確実に発揮できる。
【００２７】
本発明の床面拭き取り清掃具に用いられる清掃具用シートは、従来の清掃具用シートと比較して、清掃具の台座に取り付けた場合、繊維束の端部が下方に垂れ下がり基材シートから遊離して自由に動くため、繊維が絡まり難く、床面等の被清掃面上における塵や埃等の捕捉性能及び保持性能に優れている。
【００２８】
本発明の床面拭き取り清掃具に用いられる清掃具用シートは、清掃具の台座に繊維束が内側となり基材シートが外側下面となるように取り付けた場合、基材シートと台座の間の繊維束は先端が自由に動くため嵩高く形成することが可能であり、優れたクッション性を有している。その結果、基材シート面で拭き取りを行った場合に、拭き取り部分の周縁部から中央部まで全面にわたって均一に圧力が加わるから、拭き取り面と被清掃面との密着性が良好であり、シート全体を効率良く清掃に利用できる。
【００２９】
本発明の手持式拭き取り清掃具に用いられる清掃具用シートは、基材シートの片面側に繊維束が積層され、繊維束を構成する繊維の流れ方向の中央部が基材シートの中央部において連続的に形成された中央接合部で接合していると共に、中央接合部と平行な両端縁との間の平行線上に断続的に形成された点状接合部において接合しており、繊維の流れ方向両端が基材シートに接合していないものであり、基材シートの繊維束の積層面と反対面に、手持式拭き取り清掃具の保持部材の脚部を挿通して保持するための空間からなる保持部が形成されているから、繊維束の端部が下方に垂れ下がり基材シートから遊離して自由に動くため、繊維が絡まり難く、被清掃面上における塵や埃等の捕捉性能及び保持性能に優れている。
【００３０】
本発明の手袋状清掃具は、基材シートの片面側に繊維束が積層され、繊維束を構成する繊維の流れ方向の中央部が基材シートの中央部において連続的に形成された中央接合部で接合していると共に、中央接合部と平行な両端縁との間の平行線上に断続的に形成された点状接合部において接合しており、繊維の流れ方向両端が基材シートに接合していない清掃具用シートを用いるものであり、前記清掃具用シートの基材シート側に第二のシートが積層され、基材シートと第二のシートとの間に手を挿入して保持するための空間からなる保持部が設けられており、外観が手袋状に形成されているから、従来の不織布や払拭用シートを用いた清掃具と比較して、清掃を行う際に繊維両端が基材シートに接合せずに遊離して自由に動くため、凹凸のあるパソコンのキーボードの上や装飾のある家具、形状の複雑な家電製品といった凹凸がある種々の被清掃面の隅々まで入り込み、塵や埃等を拭き取り捕捉する能力と、そのごみを保持する能力が優れている。
【００３１】
更に本発明の手袋状清掃具は、手を挿入して清掃具を保持可能とするための保持部が設けられているから、手袋状清掃具に手を入れて清掃を行う際に繊維束が嵩高く形成されるため、クッション性に優れ、被清掃面との密着性が全体で良好に維持されるため、シート全体を効率良く清掃に利用できる。
【図面の簡単な説明】
【００３２】
【図１】図１は本発明の清掃具用シートの一例を示す平面図である。
【図２】図２は図１の清掃具用シートの接合部分を示す説明図である。
【図３】図３は図１のＡ−Ａ断面を示す端面図である。
【図４】図４は図１のＢ−Ｂ断面を示す端面図である。
【図５】図５は本発明の清掃具用シートを用いた床面拭き取り清掃具の一例の外観を示す斜視図である。
【図６】図６は図５の床面拭き取り清掃具において清掃具用シートを繊維束側が下面となるように取り付けた状態を示すＦ−Ｆ断面図である。
【図７】図７は図５の床面拭き取り清掃具において清掃具用シートを基材シート側が下面となるように取り付けた状態を示すＦ−Ｆ断面図である。
【図８】図８は本発明の手持式拭き取り清掃具に用いられる清掃具用シートの一例を示す平面図である。
【図９】図９は図８のＣ−Ｃ断面を示す端面図である。
【図１０】図１０は図８の清掃具用シートの底面図である。
【図１１】図１１は図８のＤ−Ｄ断面を示す端面図である。
【図１２】図１２は手持式拭き取り清掃具の保持部材の外観を示す斜視図である。
【図１３】図１３は図８の清掃具用シートを用いた手持式拭き取り清掃具を示す外観斜視図である。
【図１４】図１４は本発明の手袋状清掃具の一例を示す外観斜視図である。
【図１５】図１５は図１４のＥ−Ｅ断面を示す端面図である。
【図１６】図１６は図１４の手袋状清掃具を第二のシート側から見た図である。
【図１７】図１７は図１４の手袋状清掃具を清掃具用シート側から見た図である。
【図１８】図１８は図１４の手袋状清掃具に用いる支持部材の一例を示す外観斜視図である。
【図１９】図１９は図8の清掃具用シートに用いられる保持シートを示す平面図である。
【図２０】図２０は図１９のＧ−Ｇ線断面を示す端面図である。
【図２１】図２１は図１９の保持シートを清掃具用シートに積層する工程を示す斜視図である。
【発明を実施するための最良の形態】
【００３３】
本発明の清掃具用シート１は、図１〜図３に示すように、不織布シート等からなる矩形状の基材シート２の片面側に、繊維が多数集積されてシート様に形成された繊維束３が積層され、基材シート２と繊維束３は、繊維束３を構成する繊維の流れ方向の中央部が、矩形状の基材シート２の中央部であって矩形状の一端縁２ｃから他の端縁２ｄまでの一本の連続的な中央線上に設けた中央接合部４にて接合されている。【００３４】
さらに図２に示すように繊維束３と基材シート２とは、基材シート２の前記中央接合部４と平行な両端縁２ａ、２ｂとの間の平行線５ａ、５ｂ、６ａ、６ｂ上に、断続的に形成された点状接合部７において接合している。前記点状接合部７が設けられる平行線５ａ、５ｂ、６ａ、６ｂは、図２に示すように基材シート２の中央接合部４と両端縁２ａ、２ｂとの間に形成されている。【００３５】
図１の清掃具用シートは図３に示すように、繊維束３の中央が基材シート２の中央接合部４に接合し、さらに基材シート２の中央接合部４と平行な一方端縁２ａとの間の繊維束３は、点状接合部７により基材シート２に接合している。また基材シート２の中央接合部４と平行な他方端縁２ｂとの間の繊維束３は、点状接合部７により基材シート２に接合している。そして繊維束３の繊維の流れ方向の端部３１ａ、３１ｂは、基材シート２と接合せずに遊離している。【００３６】
また図１のＢ−Ｂ断面は図４に示すように、前記Ａ−Ａ断面を平行移動した断面であるが、中央接合部４と基材シート２の一方端縁２ａとの間で、繊維束３は中央接合部４から繊維の流れ方向端部３１aまで点状接合部７が存在せずに、繊維が基材シート2に全く接合しない状態である。また、繊維束３の中央接合部４と基材シート２の他方端縁２ｂとの間の繊維束３は、点状接合部７で接合している。繊維束３の繊維の流れ方向の端部３１ａ、３１ｂは、基材シート２と接合せずに遊離している。繊維束３の繊維は、中央接合部４又は点状接合部７から端部３１ａ、３１ｂまでの長さで自由に動けるように構成されている。
【００３７】
このように清掃具用シート１において、中央接合部４と両端縁２ａ、２ｂとの間では、繊維束３は断続的な接合部からなる点状接合部７により接合されているから、中央接合部４の流れ方向を見た場合、繊維束３の端部から接合部までの繊維の自由に動ける長さが、点状接合部７の接合部のある部分とない部分とで異なることで、繊維束３の繊維が絡まり合うのを防止できる。
【００３８】
点状接合部７は、図２に示すように中央接合部４と平行な線（平行線）５ａ、５ｂ、６ａ、６ｂの直上又はその線上の近傍に設けられる。点状接合部７は、平行線５ａ、５ｂ、６ａ、６ｂの各線の直上にほぼ直線的に並び、平行線の線方向に断続的に不連続状に形成されている。平行線上に断続的に形成される点状接合部７の各接合部（点状部）は、円形状、楕円形、長円状、直線状等に形成され、その形状は、点状接合部の全域で同じように形成してもよいし、あるいは上記の形状を複数組み合わせて構成してもいずれでもよい。【００３９】
点状接合部７を構成する各点状部の幅(繊維の流れ方向)は、０．５〜５mmが好ましく、その長さ（中央接合部の長手方向）は２〜１５mmが好ましい。断続的に設ける点状接合部７の各接合部の間隔は、平行線の線方向における隣りの接合部との間隔が、５〜５０mmになるように形成するのが好ましい。上記各接合部の間隔は、点状接合部の全域で一定に形成してもよいし、また間隔が異なるように形成してもよい。【００４０】
また、点状接合部７は、各接合部が平行線を中心として幅方向（繊維の流れ方向）の左右に交互に位置するように、各接合部が平行線を中心線として左右にジグザグ状に位置するように形成してもよい。つまり点状接合部７の各接合部が、かならずしも平行線の線上に直線的に並んでいなくてもよいのである。
【００４１】
また図１に示す態様の清掃具用シート1では、点状接合部７は図2に示すように、基材シート２の中央接合部４と平行な片方の端縁（２ａ又は２ｂ）との間に各々２本の平行線(５ａ、６ａ或いは５ｂ、６ｂ)上に設けられ、清掃具用シート１全体では中央接合部４の両側に合計４本の平行線上に設けられている。
【００４２】
本発明の清掃具用シート１において、点状接合部７は、上記態様に限定されずに、他の態様とすることができる。例えば点状接合部７は中央接合部４と片側端縁２ａの間の１本の平行線上と、中央接合部４と他側端縁２ｂとの間の１本の平行線上に設けて、 清掃具用シート１全体では中央接合部４の両側に合計２本の平行線(例えば５ａ及び５ｂ)上のみに設けてもよい。【００４３】
また点状接合部７は、特に図示しないが、中央接合部４と片方の端縁２ａ又は端縁２ｂとの間にそれぞれ３本の平行線上に設けて、清掃具用シート１全体では合計６本の平行線上に形成してもよいし、片側の４本以上の平行線上に設けても良い。【００４４】
また点状接合部７は、特に図示しないが、中央接合部４と一方端縁２ａとの間の２本の平行線上に設け、中央接合部４と他方端縁２ｂとの中間に３本の平行線を設け、清掃具用シート１全体では合計５本の線上に設けるように、清掃具用シートの中央接合部7の一方側と他方側で異なる数の平行線上に設けることもできる。【００４５】
図１に示す態様の清掃具用シート１は、図2に示すように中央接合部４と一方端縁２ａとの間の平行線５ａの点状接合部７と、この点状接合部の隣の平行線６ａの点状接合部７において、隣合う接合部の接合位置が、繊維束３の流れ方向で重ならないように形成されている。同様に、他方端縁２ｂと中央接合部４との間の平行線５ｂの点状接合部７と、この点状接合部の隣の平行線６ｂの点状接合部７において、隣合う接合部の接合位置が、繊維束３の流れ方向において重ならないように形成されている。なお図１に示す態様の清掃具用シート１は、繊維束３の繊維の流れ方向は、中央接合部４と直交する方向となるように構成されている。
【００４６】
このように点状接合部７の各接合部が、繊維束３の繊維の流れ方向で重ならないように形成されていると、一本の繊維が流れ方向の複数の箇所で接合されることがなくなるから、繊維の自由に動ける部分が多くなり、繊維の動きが妨げられず繊維束３の繊維どうしの絡まりを良好に防止して、ごみの捕捉、保持能力を長期にわたって維持できる。【００４７】
繊維束３の繊維の中央接合部４から繊維の流れ方向両端までの長さは、基材シート２の中央接合部４から端縁（２ａ又は２ｂ）までの長さの５０〜１００％の長さに形成するのが好ましい。具体的には例えば清掃具用シート１が、横幅３００mm、長さ２００mmの基材シート２を用いた場合、中央接合部４から基材シート２の端縁（２ａ又は２ｂ）までの長さは１００mmであり、繊維束３の繊維の長さは５０〜１００mmに形成するのが好ましい。
【００４８】
また図３及び図４に示すように、繊維束３の繊維の流れ方向の端部３１ａ、３１ｂは、基材シート２と接合していないが、この繊維束３の繊維の端部３１ａ、３１ｂから接合部までの、いわゆる自由に動ける部分の長さは、１０〜４０mmであるのが好ましい。これは、点状接合部７が設けられる平行線（例えば５ａ、５ｂ、６ａ、６ｂ等）が、基材シート2の端縁２a、２ｂ）から１０〜４０mmの範囲になるように、点状接合部７を形成すればよい。【００４９】
基材シート２の材質は、不織布シート以外に、紙、合成樹脂シート等を用いることができる。基材シート２は、各種ごみの捕捉性能を有する点から不織布シートが好ましい。基材シート２は、不織布を用いる場合は坪量が１０〜２００g/m2が好ましく、合成樹脂シートを用いる場合は厚みが０．０１〜０．１mmが好ましい。【００５０】
基材シート２は、繊維束３に熱融着性繊維を用いた場合、該繊維束３との接合が容易である点から熱融着性を有するものが好ましい。また不織布シートを用いる場合、該シートを構成する短繊維(繊維体)は特に限定されないが、繊維束３と熱融着性を有する熱融着性短繊維が好ましい。このような熱融着性短繊維としては、ポリプロピレン、ポリエチレン、ポリエチレンテレフタレート等の繊維、これらを鞘芯型やサイドバイサイド型の複合繊維としたもの等が挙げられる。【００５１】
基材シート２として用いられる不織布シートは、例えば、スパンレース不織布、スパンボンド不織布、サーマルボンド不織布、エアスルーボンド不織布、ポイントボンド不織布等が挙げられる。好ましいのは、スパンレース不織布、サーマルボンド不織布等である。不織布シートは、一枚のシートから構成してもよいし、同種又は異なる種類のシートを複数枚積層して構成してもよい。【００５２】
清掃具用シート１に用いられる繊維束３は、多数の繊維を方向が同じになるように並べ重ね、各繊維がばらけない程度に繊維が纏められている繊維の集合体である。繊維束３は、シート様に形成されシート様繊維束として取り扱われる。また繊維束３は各繊維相互が融着等により部分的に結合されていてもよい。繊維束３は、同一種類の繊維のみで構成されていても、複数の種類の繊維で構成されていても良い。【００５３】
また繊維束３は、太さが同一の繊維のみで構成されていても、複数の太さの繊維で構成されていても良い。繊維束３は、構成する繊維の種類、太さが同一であるか異なるかにかかわらず、色の異なる繊維を用いて構成することができる。【００５４】
繊維束３に用いられる繊維としては、例えば綿、毛等の天然繊維、ポリエチレン、ポリプロピレン、ポリエチレンテレフタレート、ナイロン、ポリアクリル等の合成繊維、芯鞘型繊維、海島型繊維、サイドバイサイド型繊維等の複合繊維等が用いられるが、熱融着性のある合成繊維や複合繊維が好ましく、特に芯がポリプロピレン、鞘がポリエチレンからなる芯鞘型複合繊維は、鞘を構成するポリエチレンの優れた熱融着性と、芯を構成するポリプロピレンの腰の強さとを併せ持つため好ましい。【００５５】
また繊維束３に用いられる繊維は、機械捲縮、熱捲縮等の捲縮したものであってもよい。【００５６】
また繊維束３は、ポリエチレン、ポリプロピレン、ナイロン、ポリエステル、レーヨン等から製造される、一般的にトウと呼ばれる長繊維束を用いることができる。【００５７】
繊維束３を構成する繊維の太さは１〜１８デニールが好ましい。また、繊維束３の坪量は繊維の太さが２デニールの場合で５〜３０ｇ/m2であるのが好ましい。【００５８】
繊維束３は、シート様の繊維束を２枚以上を重ね合わせて用いることができる。シート様の繊維束を重ねて用いる場合、太さ、繊維の色、構成する繊維の種類が異なる繊維束を、任意に組み合わせることができる。色の異なる繊維束を重ねて用いると、清掃具用シートの意匠性を向上させることができる。【００５９】
複数の繊維束を重ねて用いる場合、細い繊維の繊維束と、太い繊維の繊維束とを交互に重ね合わせて用いることが好ましい。上記の細い繊維としては０．０１〜０．０５mmのものが好ましい。また上記の太い繊維としては、細い繊維よりも太ければ良いが、０．０６mm〜０．３mmの太さのものが好ましい。また太い繊維は、ポリプロピレン等の腰のある繊維が好ましく用いられる。【００６０】
図８〜図１１に示す清掃具用シート１の基材シート２に積層される太い繊維からなる繊維束３ｂとしては、延伸ポリプロピレン製の長尺なテープを長手方向（延伸方向）に細長くなるように裂いて繊維束としたものを用いた。また繊維束３bは、繊維束３aに積層し中央接合部４で融着して接合されている。【００６１】
このように太い繊維の繊維束と細い繊維の繊維束を積層して用いる場合、太い繊維が外側（被清掃体側）になるように積層するのが好ましい。例えば、コンピュータのキーボード等の細い隙間を有するものを清掃する場合には、細い繊維は腰がないので、隙間に入って行き難い。これに対し、太い繊維は腰があるから、容易に隙間の中に入り込み、塵や埃等のごみを掻き出すことができる。そして掻き出されたごみを細い繊維が取り込むよう機能する。また太い繊維は、細い繊維相互が絡み合ってしまうのを防止することができる。【００６２】
本発明の清掃具用シート１は、基材シート２の表面に繊維束３を積層し、基材シート２や繊維束３の材質等に応じて所定の接合手段を用い、中央接合部４及び点状接合部を熱融着、超音波融着、接着、逢着等の手段で接合することで得られる。【００６３】
例えば基材シート２及び繊維束３が熱融着可能な材質である場合は、加熱ローラ等により基材シート２及び繊維束３の積層体を加熱、加圧することで、容易に接合することができる。【００６４】
また基材シート２又は繊維束３が、融着性のない材質の場合には、ホットメルト型接着剤等の熱接着性材料をこれらの間にラミネートしたり、接着剤を塗布する等して接合することができる。【００６５】
清掃具用シート１は図２に示すように、点状接合部７よりも中央接合部４と平行な両端縁２a、２b側の四隅付近が、基材シート２のみから構成される取付部８、８、８、８として形成されている。この取付部８は、床面拭き取り清掃具の清掃具用シートとして用いる場合に、清掃具の保持部材に取り付けるためのものである（図５参照）。
【００６６】
清掃具用シート１の取付部８は、上記の基材シート２のみから構成する態様に限定されず、床面拭き取り清掃具の保持部材に取付可能であればよく、保持部材の形状や取付手段等に応じて、各種態様に形成することができる。【００６７】
例えば取付部８は、基材シート２の表面又は／及び裏面に粘着剤層を設け、該粘着剤層の表面をはく離シートで被覆して構成することができる。このように清掃具用シート１を形成した場合には、床面拭き取り清掃具１０に取り付ける際に、はく離シートをはがし、粘着剤層が台座１２の上面のストッパー１３の位置に接合させることができる。なお床面拭き取り清掃具１０の取付部８に粘着剤層を設けた場合には、ストッパー１３等の固定部材が無い床面拭き取り清掃具１０の台座１２に取り付け可能である。また特に図示しないが、清掃具用シート１には、繊維束３の繊維の流れ方向両端縁２ａ、２ｂの近傍の取付部８、８、８、８に、清掃具の台座等へ取り付けるためのスリット（切り込み）を設けてもよい。
【００６８】
本発明の清掃具用シート１は、基材シート２又は／及び繊維束３に、ごみの捕捉能力を高める薬剤を塗布しても良い。このような薬剤としては、流動パラフィン等の鉱物油、シリコンオイル、非イオン系界面活性剤を含む油剤等が挙げられる。
【００６９】
図５は床面拭き取り清掃具の一例の外観を示す斜視図である。以下、本発明の床面拭き取り清掃具に用いられる清掃具用シート（床面清掃具用シートという）について説明する。床面拭き取り清掃具１０は、図５に示すように、床面清掃具用シート１の保持部材として構成される長方形の板状に形成された台座１２と、該台座１２の上面側に取り付けられた柄１１とから構成されている。床面清掃具用シート１は、床面拭き取り清掃具１０の台座１２に取り付けられて、台座１２の下面側を床面に当接させ柄１１を手で持ち、主として台座１２が図中矢印Ｐ−Ｑ方向に動くように柄１１を動かして床面を拭き取る。
【００７０】
床面清掃具用シート１は、図１〜図４に示す清掃具用シート１を用いることができる。床面清掃具用シート１は、基材シート２の四隅付近の中央接合部４と平行な両端縁２ａ、２ｂ側に、床面拭き取り清掃具１０の保持部材である台座１２に取り付けるための取付部８が設けられている。取付部８は、台座１２の取付具として設けられたストッパー１３の位置に対応する部分に基材シート２のみから構成される部分として、基材シート２のみが台座１２のストッパー１３により固定されるようにしたものである。【００７１】
床面清掃具用シート１を台座１２に取り付ける場合、図６に示すように、繊維束３側が台座１２の下面外側となるように、台座１２に固定して用いる。このとき床面清掃具用シート１は、繊維束３の繊維の流れ方向が、床面拭き取り清掃具１０の主となる拭き取り方向(矢印Ｐ−Ｑ方向)と同じ方向となるように台座１２に取り付ける。図６に示すように、床面拭き取り清掃具１０を用いて床面を拭き取り清掃すると、繊維束３の繊維の隙間にごみが入り込み、捕捉、保持される。【００７２】
また床面清掃具用シート１の基材シート２が、不織布シート等のようにごみの捕捉能力を備えるシートを用いた場合は、床面拭き取り清掃具１０の台座１２に取り付ける際、図７に示すように、基材シート２側が台座１２の下面外側となるように台座１２に固定して、台座１２の下面と基材シート２との間に繊維束３が位置するように取り付けることができる。このように床面清掃具用シート１を取り付けると、床面拭き取り清掃具１０において基材シート２と台座１２との間の繊維束３がクッション性を有するから、基材シート２の外面において床面等の被清掃面との密着性が極めて良好になって、基材シート２の下面全体を使ってごみを捕捉することが可能であり、効率の良い清掃を行うことができる。【００７３】
このような使い方として、例えば、まず図６に示すように床面清掃具用シート１の繊維束３を外面として床面拭き取り清掃具１０に取り付けて、床面を拭き取って比較的大きなごみを取った後、図７に示すように床面清掃具用シート１を裏返して基材シート２が外面となるように床面拭き取り清掃具１０に取り付けて床面を拭き取って比較的小さなごみを捕捉するといった使い方も可能である。【００７４】
床面拭き取り清掃具１０において、清掃具用シート１が汚れてきたら、台座１２から取り外して、汚れていない別の清掃具用シート１と交換して使用する。【００７５】
本発明の手持式拭き取り清掃具に用いられる清掃具用シート（手持式清掃具用シートという）２０は、図８〜図１１に示すように、基材シート２の片面側に繊維束３が積層され、繊維束３を構成する繊維の流れ方向（図８の矢印Ｘ−Ｙ方向）の中央部が、基材シート２の中央部において連続的に形成された中央接合部４で接合していると共に、中央接合部４と平行な両端縁２ａ、２ｂとの間の平行線上に断続的に形成された点状接合部７において接合しており、繊維束３の繊維の流れ方向両端が基材シート２に接合していない清掃具用シート１を用いるものである。【００７６】
手持式清掃具用シート２０は、清掃具用シート１の上記基材シート２の繊維束３の積層面と反対面に、手持式拭き取り清掃具の保持部材の脚部を挿通して保持するための空間からなる袋状の保持部２２が形成されている保持シート２１が積層され接合されている。【００７７】
また図８〜図１１に示す手持式清掃具用シート２０は、基材シート２の中央接合部４と平行な両端縁２ａ、２ｂから点状接合部７の近傍まで、繊維束３の繊維の流れ方向と同じ方向に切り欠いてなる多数の切り込み２５が設けられている。【００７８】
また図８〜図１１に示す手持式清掃具用シート２０の繊維束３は、基材シート２側に積層された細い繊維からなる繊維束３ａと、該繊維束３ａの外側に積層された太い繊維からなる繊維束３ｂとから構成されている。太い繊維からなる繊維束３ｂを構成する繊維は、延伸ポリプロピレン製のテープを延伸方向に細長くなるように裂いて形成した繊維を寄せ集めたものから構成した。このような腰のある繊維を用いて中央接合部７だけで接合した状態であると、繊維束３ｂが下になるように 清掃具を手で持っただけで太い繊維束３ｂが下に垂れ下がり、繊維束３ｂを嵩高くするために特別な操作を行う必要がないという利点がある。【００７９】
繊維束３ｂの繊維の流れ方向の長さは、繊維束３aよりも若干短くなるように形成するのが好ましいが、繊維束３aと全く同じ長さであってもよい。【００８０】
このように繊維束３を太さの異なる繊維束３ａ、３ｂから構成したことで、図１に示す清掃具用シートの繊維束の説明で述べたように、細い溝のような部分を清掃する際の拭き取り効果が優れる。【００８１】
図８〜図１１に示す手持式清掃具用シート２０の清掃具用シート１は、図１のシートと同様に、まず細い繊維の繊維束３ａを基材シート２に積層し、中央接合部４及び点状接合部７を融着して接合した後、太い繊維の繊維束３ｂを中層接合部４で接合することで得られる。【００８２】
なお、手持式清掃具用シート２０の清掃用シート１は、中央接合部４と平行な両端縁２ａ、２ｂとの間の平行線上に断続的に形成されている点状接合部７の各接合部を設ける位置は、切り込み２５の設けられている位置よりも内側であり、切り込み２５に重ならないように形成している。【００８３】
図８に示す手持式清掃具用シート２０の清掃具用シート１は、図１に示すシートと同様に、中央接合部４と平行な両端縁２ａ、２ｂとの間の平行線として、各端縁との間でそれぞれ２本の平行線を用いて点状接合部７を形成している。この点状接合部７は、中央接合部４と平行な両端縁２ａ、２ｂとの間の平行線としてそれぞれ、４本の平行線を用いて点状接合部７を構成してもよい。【００８４】
手持式清掃具用シート２０の基材シート２及び繊維束３（３ａ、３ｂ)は、図１に示す清掃具用シート１で示した材料を用いることができる。また中央接合部４及び点状接合部７の構成は、図１の清掃具用シート１で説明した構成と同様に形成することができる。【００８５】
また図８〜図１１に示す手持式清掃具用シート２０は、繊維束３と保持シート２１とは、同系色により構成されている。【００８６】
保持シート２１は、図１９及び図２０に示すように、熱融着性を有する二枚の不織布２１ａ、２１ｂを積層し、挿入口２３を除く三辺及び中央部をヒートシールして接合してなるシール部２８を形成してなり、二枚の不織布２１ａ、２１ｂの間に、手持式拭き取り清掃具の保持部材３０の二本の脚部３１（図１２参照）を夫々挿通して保持するための空間からなる袋状の保持部２２を形成したものである。保持部２２は、脚部に応じた各保持部が開口部を除いた三方がシールされた二つの袋状に形成されているものであるが、各保持部は、少なくとも側面側がシールされていればよく、先端はシールせずに開口した状態でもよい。【００８７】
図２０に示すように、保持シート２１の挿入口２３の部分は、二枚の不織布２１ａ、２１ｂどうしがシールされずに開口した状態に形成されている。図２０に示す保持シート２１は、一枚の不織布を二つ折りし、所定の箇所をヒートシールしてなるものであり、この挿入口２３の部分の上側の不織布が下側の不織布よりも長くなるように折り曲げて積層したものである。さらに上側の不織布２１ａの挿入口２３側の部分は、下側の不織布２１ｂに接合しない耳片２９として、シール部２８の端部の位置で上方に自由に折り曲げ可能に形成されている。【００８８】
さらにこの耳片２９の端部側には、挿入部２３であることの目印となるように着色した着色部２４が設けられている。このように上側の不織布２１ａが下側の不織布２１ｂよりも長く構成され、耳片２９が設けられていると保持部材の脚部の挿通を容易かつスムーズに行うことができる。【００８９】
また保持シート２１の耳片２９に着色部２４を設ける代わりに、エンボス加工を施して凹凸模様を設けてもよい。このように手持式清掃具用シート２０において、保持シート２１の挿入口２３側に着色部２４を設けたりエンボス加工の凹凸模様を設けることで、保持部２２に保持部材３０の脚部３１を挿入する際に、脚部３１の差込む部分を目視でよく認識できるので、使用者が清掃具用シート２０の挿入口２３に保持部材３０の脚部３１を容易に挿入できる。【００９０】
また、保持シート２１は一枚の不織布を折り曲げずに二枚の不織布を積層してヒートシールしても良いし、また上側の不織布２１ａと下側の不織布２１ｂの長さが同じになるように構成してもよい。【００９１】
図２１に示すように、前記清掃具用シート１の基材シートの繊維束と反対面の中央部に、ホットメルト接着剤２７を塗布し上記保持シート２１を積層し加熱、加圧等の手段により接合して、手持式清掃具用シート２０が得られる。なお保持シート２１の清掃具用シート１への接着は、ホットメルト接着剤に限定されず、その他の接着剤、粘着剤等を用いてもよい。【００９２】
手持式清掃具用シート２０は、図１２に示す手持式拭き取り清掃具の保持部材３０に取り付けて、図１３に示す手持式拭き取り清掃具４０として使用される。図１２に示す保持部材３０は、手持式清掃具用シート２０を保持するための脚部３１と、手持ち可能に形成された柄部材３２とから構成される。脚部３１は、手持式清掃具用シート２０を取り付けるためのものであり、図１２に示すように二股状枝部材として形成されている。【００９３】
手持式清掃具用シート２０を保持部材３０に取り付けるには、手持式清掃具用シート２０の保持シート２１の挿入口２３から、保持部材３０の脚部３１を挿入して保持部２２に保持する。手持式清掃具用シート２０が汚れた場合には、保持部材３０の脚部３１を挿入口２３から抜き取り、汚れていない別の手持式清掃具用シート２０と交換することで、良好な拭き取り効果が得られる。【００９４】
図１２に示す手持式拭き取り清掃具の保持部材３０は、脚部３１が円筒を半分に切った形状に形成されている。該脚部３１は、それぞれの枝部材の上側周囲の長手方向に所定間隔を持って四個所に、周囲が外方に膨出する凸部３３が設けられている。【００９５】
この凸部３３は、脚部３１の前方よりも後方に向けて半径が大きくなるように膨出する突起として形成され、脚部３１の先端から手持式清掃具用シート２０の保持部２２に挿入する場合は比較的スムーズに挿入できるが、手持式清掃具用シート２０の保持部２２から引き抜こうとした場合に凸部３３が保持部の被覆シート２１に引っかかり、手持式拭き取り清掃具４０を使用して清掃を行っている最中に、手持式清掃具用シートｌが抜けてしまうのを防止できる。【００９６】
図１４〜図１７に本発明手袋状清掃具の一例を示す。本発明手袋状清掃具５０は図１４〜１７に示すように、基材シート２の片面側に繊維束３が積層され、繊維束３を構成する繊維の流れ方向の中央部が基材シート２の中央部において連続的に形成された中央接合部４で接合していると共に、中央接合部４と平行な両端縁との間の平行線上に断続的に形成された点状接合部７において接合しており、繊維の流れ方向両端３１a、３１ｂが基材シート３に接合していない清掃具用シート１を用いるものである。【００９７】
更に手袋状清掃具５０は、前記清掃具用シート１の基材シート２側に第二のシート５１が積層され、基材シート２と第二のシート５１との間に手Ｈを挿入して保持するための空間からなる保持部５２が設けられている。また外観が手袋状に形成されている。手袋状清掃具５０は清掃具用シート１と第二のシート５１とが積層され、手Hを挿入するための挿通部５３を除いて積層体の周囲が接合された接合部５４が設けられて、挿通部５３が開口部として形成された袋状に形成されている。周囲の接合部５４は、積層体の熱溶断、加熱及び／又は加圧による融着、接着剤、粘着剤等を用いた接着、或いは逢着等等の方法により接合して形成することができる。
【００９８】
手袋状清掃具５０は図１６に示すように、挿通部５３を除く周囲の接合部５４は先端側が手の形に沿って丸みを帯びた形状に形成されている。なお手袋状清掃具５０の「先端側」とは、挿通部５３の反対側であり手を挿入した場合の指先側のことである。【００９９】
更に手袋状清掃具５０の内部の保持部５２には、図１４〜図１６に示すように、保持部５２の先端側を二つに分ける仕切部５５が設けられていて、ミット状に形成されている。仕切部５５は図１６に示すように、手袋状清掃具５０の先端から挿通部５３側に直線的に設けられ、挿通部５３から手Ｈを挿入した際に、該仕切部５５の挿通部側端部が指の付け根に当接しない程度の長さに形成されている。【０１００】
手袋状清掃具５０の「手袋状」とは手Ｈを挿通して保持可能な保持部５２を有する形状であれば特に限定されないが、ミット状に形成するのが好ましい。なお「ミット状」とは、図１４に示すように、保持部５２が一つの仕切部５５により二つに分かれていて、指を二つの空間に分けて保持可能に形成されている形状である。【０１０１】
また本発明の手袋状清掃具５０は、保持部５２が指の形状に沿って３つ以上に分かれるように、２つ以上の仕切部５５を設けて構成してもよい。また手袋状清掃具５０は５本の指がそれぞれ分かれて入るように保持部５２が形成されるように、5本の指の形状に対応した仕切部５５を設けて、いわゆるグローブ状に形成することもできる。【０１０２】
仕切部５５は図１５に示すように、清掃具用シート１と第二のシート５１が接合されていて、仕切となるように形成されている。この接合は、前記清掃具用シート１と第二のシート５１とが熱融着性を有するものであれば、加熱、加圧して融着により接合することができる。また、両シートが熱融着性を有しない場合は、接着剤を用いた接合や、逢着等により接合することができる。【０１０３】
図１７は図１４の手袋状清掃具５０を清掃具用シート１側から見た図である。図１７に示すように清掃具用シート１は、基材シート２に繊維束３が積層されてなり、該繊維束３側が外表面となるように第二のシート５１に積層されている（図１６参照）。
【０１０４】
また図１７に示す手袋状清掃具５０は、清掃具用シート１の配置が、中央接合部４が手の挿通方向であり手の幅方向中央になるように配置されている。すなわち清掃具用シート１は、中央接合部４が手袋状清掃具５０の幅方向(図17の左右方向)のほぼ中央に位置し、その方向が清掃具1の挿通部５３から先端方向(図１７の上下方向)になるように取り付けられている。【０１０５】
本発明の手袋状清掃具５０は、清掃具用シート１の取り付け方向が、上記態様に限定されず、例えば中央接合部４の長手方向が手Ｈの挿通方向と直交或いは交差する方向になるように取り付けても良い。【０１０６】
図１７に示すように、清掃具用シート１の中央接合部４の長手方向が、手の挿通方向と同じ方向になるように配置して手袋状清掃具５０を構成するのが好ましい。一般に手袋状清掃具を用いて拭き取り清掃を行う際、手を左右に動かして拭き取ることが通常行われる。この拭き取り方向は、手袋状清掃具５０の清掃具用シート１の繊維束３の繊維の流れ方向と同じ方向である。その結果、手袋状清掃具５０の繊維束３を効率良く利用できるため、ごみの捕捉、保持が良好に行える。【０１０７】
清掃具用シート１は、図１に示す清掃具用シート１が利用できる。ただし、手袋状清掃具に用いる清掃具用シートが図１に示す清掃具用シートと異なる点は、図１７に示すように、基材シート２及び繊維束３の形状が、手袋状清掃具５０の手袋形状に対応した形状に形成されている点である。手袋状清掃具５０に用いる清掃具用シートは、予め手袋形状に対応した形状に形成してもよいが、図１に示す矩形状の清掃具用シート１を手袋状清掃具の外形形状に応じた所定形状に切断して使用することができる。【０１０８】
また手袋状清掃具５０において、第二のシート５１は、どのようなシートでも良いが、清掃能力を有する不織布シートを用いるのが好ましい。不織布シートは、前記清掃具用シート１の基材シート２に用いられる不織布シートの説明で示したものを用いることができる。第二のシート５１に不織布シートを用いた手袋状清掃具５０で拭き取り清掃を行う場合、まず清掃具用シート１の繊維束３側で拭き取り凹凸のある部分の塵や埃及び髪の毛等のごみを繊維束３に保持し、ついで第二のシート５１側の不織布シートで拭き取る。不織布シートは、平滑で微細な隙間が形成されているので、細かいごみを捕捉すると共に、鏡やガラス、塗装面といった平滑部分を磨くことができる。【０１０９】
本発明の手袋状清掃具５０は、保持部５２内に手Ｈを入れて使用する以外に、保持部５２に別体の支持部材を挿通して使用することもできる。図１８に示すように例えば支持部材６０は、手袋状清掃具５０の保持部５２の形状に対応した形状に形成された清掃具支持部６１と、手で握るための柄となる把持部６２とから構成することができる。【０１１０】
把持部６２は、支持部６１の手袋状清掃具５０の挿通部５３側に設けられている。また、支持部６１には、手袋状清掃具５０の仕切部５５に対応する位置に、スリット６３が設けられている。支持部材６０は図１８に示すように、清掃具支持部６１が手袋形状に対応した平板状に形成され、把持部６２が円筒状に形成されている。【０１１１】
手袋状清掃具５０に支持部材６０を使用する場合は、支持部材６０の支持部６１を手袋清掃具５０の挿通部５３から保持部５２に挿入し、スリット６３に仕切部５５が入るように装着する。手袋状清掃具５０は支持部材６０の把持部６２を手で持って清掃に使用することで、直接手の入らない狭い隙間等も容易に清掃することができる。
【産業上の利用可能性】
【０１１２】
本発明の清掃具用シート、床面拭き取り清掃具用シート、手持式拭き取り清掃具用シート及び手袋状清掃具は、家庭、工場、病院、店舗、車内等の様々な場所において、床、壁、窓、家具、家電製品、パソコン、照明器具、本棚、各種金属製品等の被清掃物の表面に当接して、拭き取り清掃に利用できるものであり、簡単な構造で効率的に埃や塵等のごみを拭き取り捕捉することができ、更に捕捉したごみを保持できる点で極めて有効なものである。
【図１】
0004313817.tif 000002
【図２】
0004313817.tif 000003
【図３】
0004313817.tif 000004
【図４】
0004313817.tif 000005
【図５】
0004313817.tif 000006
【図６】
0004313817.tif 000007
【図７】
0004313817.tif 000008
【図８】
0004313817.tif 000009
【図９】
0004313817.tif 000010
【図１０】
0004313817.tif 000011
【図１１】
0004313817.tif 000012
【図１２】
0004313817.tif 000013
【図１３】
0004313817.tif 000014
【図１４】
0004313817.tif 000015
【図１５】
0004313817.tif 000016
【図１６】
0004313817.tif 000017
【図１７】
0004313817.tif 000018
【図１８】
0004313817.tif 000019
【図１９】
0004313817.tif 000020
【図２０】
0004313817.tif 000021
【図２１】
0004313817.tif 000022